Podtech/llm-jp-corpus-v4-ja_patent huggingface dataset:
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
発射装置により発射された遊技球が案内される遊技領域と、
遊技領域を移動する遊技球が入球可能な第１始動入球手段、及び、第２始動入球手段と、
前記第１始動入球手段に入球した遊技球を検知可能な第１始動入球検知手段と、
前記第２始動入球手段に入球した遊技球を検知可能な第２始動入球検知手段と、
前記第１始動入球検知手段による検知が行われた場合に特別遊技状態を発生させるか否かの当否抽選を行い、当該当否抽選に当選した場合に、対応する前記特別遊技状態を発生させる第１特別遊技発生手段と、
前記第１特別遊技発生手段が行う前記当否抽選の結果を教示可能な第１表示を実行する第１表示手段と、
前記第２始動入球検知手段による検知が行われた場合に前記当否抽選を行い、当該当否抽選に当選した場合に、対応する前記特別遊技状態を発生させる第２特別遊技発生手段と、
前記第２特別遊技発生手段が行う前記当否抽選の結果を教示可能な第２表示を実行する第２表示手段とを備え、
前記第２表示の所定時間あたりの実行回数が少なくなり易い低状態と、前記低状態よりも多くなり易い高状態とに状態変化可能に構成され、
前記第１表示の実行期間の長さである第１時間を決定する場合に参照される第１時間決定テーブルと、
前記第２表示の実行期間の長さである第２時間を決定する場合に参照される第２時間決定テーブルとを備え、
前記第２時間決定テーブルには、前記低状態にある場合に参照される低状態時第２テーブルと、前記高状態にある場合に参照される高状態時第２テーブルとが設けられ、
前記高状態時第２テーブルには、選択される前記第２時間の長さの振分けが異なる複数のパターン対応テーブルが設けられ、前記当否抽選の結果に応じて参照される前記パターン対応テーブルが決定されるよう構成され、
前記高状態が付与される場合に、前記高状態において、前記パターン対応テーブルのうちいずれを参照して前記第２時間を決定するかを決定することを特徴とする遊技機。
【請求項２】
前記高状態において、前記第１表示、及び、前記第２表示が行われる回数の上限が設定され、
前記高状態において実行可能な前記第１表示、及び、前記第２表示の残り回数をカウントする残り回数カウント手段を備え、
前記高状態において、前記第１表示、及び、前記第２表示が開始される際に前記残り回数カウント手段の値が更新されるよう構成され、
前記高状態において、前記第２時間は、前記第１時間よりも短く設定され、かつ、
前記高状態において前記第２表示を開始させる際の設定に際し、当該第２表示が前記高状態における上限に対応する前記第２表示である場合、前記第２時間の設定に際して、専用の前記パターン対応テーブルが参照されることを特徴とする請求項１に記載の遊技機。
【請求項３】
前記１表示手段における前記第１表示と、前記第２表示手段における前記第２表示とを並行して実行可能に構成されていることを特徴とする請求項１又は２に記載の遊技機。
【請求項４】
前記第１表示、及び、前記第２表示のうち一方が終了した場合に、他方が実行されている場合であって、前記一方において前記特別遊技状態が発生する旨が教示された場合には、前記他方が中断され、前記一方において教示された前記特別遊技状態の終了後に、前記中断された他方が、中断されたところから再開されることを特徴とする請求項３に記載の遊技機。
【請求項５】
前記第１時間決定テーブルには、前記低状態にある場合に参照される低状態時第１テーブルと、前記高状態にある場合に参照される高状態時第１テーブルとが設けられ、
前記高状態時第１テーブルには、選択される前記第１時間の長さの振分けが異なる複数のパターン対応テーブルが設けられ、前記当否抽選の結果に応じて参照される前記パターン対応テーブルが決定されるよう構成され、
前記高状態が付与される場合に、前記高状態において、前記パターン対応テーブルのうちいずれを参照して前記第１時間、及び、前記第２時間を決定するかを決定することを特徴とする請求項３又は４に記載の遊技機。
【手続補正２】
【補正対象書類名】明細書
【補正対象項目名】０００６
【補正方法】変更
【補正の内容】
【０００６】
本発明の遊技機は、
発射装置により発射された遊技球が案内される遊技領域と、
遊技領域を移動する遊技球が入球可能な第１始動入球手段、及び、第２始動入球手段と、
前記第１始動入球手段に入球した遊技球を検知可能な第１始動入球検知手段と、
前記第２始動入球手段に入球した遊技球を検知可能な第２始動入球検知手段と、
前記第１始動入球検知手段による検知が行われた場合に特別遊技状態を発生させるか否かの当否抽選を行い、当該当否抽選に当選した場合に、対応する前記特別遊技状態を発生させる第１特別遊技発生手段と、
前記第１特別遊技発生手段が行う前記当否抽選の結果を教示可能な第１表示を実行する第１表示手段と、
前記第２始動入球検知手段による検知が行われた場合に前記当否抽選を行い、当該当否抽選に当選した場合に、対応する前記特別遊技状態を発生させる第２特別遊技発生手段と、
前記第２特別遊技発生手段が行う前記当否抽選の結果を教示可能な第２表示を実行する第２表示手段とを備え、
前記第２表示の所定時間あたりの実行回数が少なくなり易い低状態と、前記低状態よりも多くなり易い高状態とに状態変化可能に構成され、
前記第１表示の実行期間の長さである第１時間を決定する場合に参照される第１時間決定テーブルと、
前記第２表示の実行期間の長さである第２時間を決定する場合に参照される第２時間決定テーブルとを備え、
前記第２時間決定テーブルには、前記低状態にある場合に参照される低状態時第２テーブルと、前記高状態にある場合に参照される高状態時第２テーブルとが設けられ、
前記高状態時第２テーブルには、選択される前記第２時間の長さの振分けが異なる複数のパターン対応テーブルが設けられ、前記当否抽選の結果に応じて参照される前記パターン対応テーブルが決定されるよう構成され、
前記高状態が付与される場合に、前記高状態において、前記パターン対応テーブルのうちいずれを参照して前記第２時間を決定するかを決定することを特徴としている。
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
自律型掃除ロボットであって、
床面に沿って前記自律型掃除ロボットを推進させるように構成された駆動部と、
タンク組立体と、
を備え、
前記タンク組立体は、
リザーバと、
左容器および右容器と、
前記タンク組立体のカバーにわたって延在するハンドルであって、前記ハンドルが第１の位置と第２の位置との間で可動であり、前記ハンドルが前記第２の位置にあるとき、前記タンク組立体が所定位置でロックされる、ハンドルと、
前記左容器および前記右容器によってそれぞれ受け入れ可能な左ラッチ組立体および右ラッチ組立体と、
を備え、
各ラッチ組立体は、前記ハンドルが前記第２の位置にあるとき前記リザーバ内の流体を前記リザーバから床面に吐出できるように前記タンク組立体を所定位置でロックするように構成された可動組立体を備え、
前記可動組立体は、
前記ハンドルに枢動可能に連結されたヨークと、
前記ヨークに枢動可能に連結されたフックであって、第１の位置から第２の位置に移動し、前記フックが前記第２の位置にあるとき、前記自律型掃除ロボットの対応するキャッチと係合し、前記タンク組立体を所定位置でロックするように構成されている、フックと、
前記ヨークおよび前記フックに連結された第１の可撓性要素、ならびに前記フックに連結された第２の可撓性要素であって、前記第１の可撓性要素および前記第２の可撓性要素の可撓性は、タンク組立体を受け入れ、前記ハンドルが前記第２の位置にあるとき、所定位置にロックすることを可能にする、第１の可撓性要素ならびに第２の可撓性要素と、
を備える、自律型掃除ロボット。
【請求項２】
前記第１の可撓性要素および前記第２の可撓性要素が、略Ｕ形状である、請求項１に記載の自律型掃除ロボット。
【請求項３】
前記第１の可撓性要素および前記第２の可撓性要素がそれぞれ、互いに分離している２つの部材を有して、フックを前記２つの部材の間で移動させることを可能にする、請求項１に記載の自律型掃除ロボット。
【請求項４】
前記ラッチ組立体がそれぞれ、前記ハンドルを前記第１の位置から前記第２の位置に移動させるときの前記ハンドルに対する抵抗を生成するように構成されたコロをさらに備える、請求項１に記載の自律型掃除ロボット。
【請求項５】
前記可動組立体は、前記ハンドルを前記第１の位置から前記第２の位置に移動させるときの前記ハンドルに対する抵抗を前記第１の可撓性要素が生成するように構成されている、請求項１に記載の自律型掃除ロボット。
【請求項６】
前記左容器および前記右容器がそれぞれ、前記自律型掃除ロボットの対応するキャッチを受け入れるための開口を備える、請求項１に記載の自律型掃除ロボット。
【請求項７】
前記可動組立体が、前記第１の位置から前記第２の位置への、前記ハンドルの移動の第２の部分の間よりも前記ハンドルの移動の第１の部分の間に、より多く前記フックが進むように構成されている、請求項１に記載の自律型掃除ロボット。
【請求項８】
前記タンク組立体を前記自律型掃除ロボットの面に対して封止するように構成された封止部をさらに備える、請求項１に記載の自律型掃除ロボット。
【請求項９】
前記封止部に加えられる力は、前記タンク組立体が所定位置にロックされたとき、約５フィートポンド（６９．１３ｋｇｃｍ）から２０フィートポンド（２７６．５１ｋｇｃｍ）の間である、請求項８に記載の自律型掃除ロボット。
【請求項１０】
床面を移動可能な自律型掃除ロボットのタンク組立体であって、前記タンク組立体は、
リザーバと、
左容器および右容器と、
前記タンク組立体のカバーにわたって延在するハンドルであって、前記ハンドルが第１の位置と第２の位置との間で可動であり、前記ハンドルが前記第２の位置にあるとき、前記タンク組立体が所定位置でロックされる、ハンドルと、
前記左容器および前記右容器によってそれぞれ受け入れ可能な左ラッチ組立体および右ラッチ組立体と、
を備え、
各ラッチ組立体は、前記ハンドルが前記第２の位置にあるとき前記リザーバ内の流体を前記自律型掃除ロボットにより前記リザーバから床面に吐出できるように前記タンク組立体を所定位置でロックするように構成された可動組立体を備え、
前記可動組立体は、
前記ハンドルに枢動可能に連結されたヨークと、
前記ヨークに枢動可能に連結されたフックであって、第１の位置から第２の位置に移動し、前記フックが前記第２の位置にあるとき、前記自律型掃除ロボットの対応するキャッチと係合し、前記タンク組立体を所定位置でロックするように構成されている、フックと、
前記ヨークおよび前記フックに連結された第１の可撓性要素、ならびに前記フックに連結された第２の可撓性要素であって、前記第１の可撓性要素および前記第２の可撓性要素の可撓性は、タンク組立体を受け入れ、前記ハンドルが前記第２の位置にあるとき、所定位置にロックすることを可能にする、第１の可撓性要素ならびに第２の可撓性要素と、
を備える、タンク組立体。
【請求項１１】
前記第１の可撓性要素および前記第２の可撓性要素が、略Ｕ形状である、請求項１０に記載のタンク組立体。
【請求項１２】
前記第１の可撓性要素および前記第２の可撓性要素がそれぞれ、互いに分離している２つの部材を有して、フックを前記２つの部材の間で移動させることを可能にする、請求項１０に記載のタンク組立体。
【請求項１３】
前記ラッチ組立体がそれぞれ、前記第１の位置から前記第２の位置への前記ハンドルの移動に対する抵抗を生成するように構成されたコロをさらに備える、請求項１０に記載のタンク組立体。
【請求項１４】
前記可動組立体は、前記第１の可撓性要素が、前記ハンドルを前記第１の位置から前記第２の位置に移動させるときの前記ハンドルに対する抵抗を生成するように構成されている、請求項１０に記載のタンク組立体。
【請求項１５】
前記左容器および前記右容器がそれぞれ、前記自律型掃除ロボットの対応するキャッチを受け入れるための開口を備える、請求項１０に記載のタンク組立体。
【請求項１６】
前記可動組立体が、前記第１の位置から前記第２の位置への、前記ハンドルの移動の第２の部分の間よりも前記ハンドルの移動の第１の部分の間に、より多く前記フックが進むように構成されている、請求項１０に記載のタンク組立体。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
サーバ装置と通信してゲームを実行する端末装置に、
ユーザの操作に基づき、ゲームパートを進行させるステップと、
前記ユーザの操作による、特定のゲーム効果を発揮させる指示を受け付けるステップと、
前記指示のタイミングが前記ゲームパートの進行において特定の条件を満たさない場合、前記指示に基づき、前記特定のゲーム効果を自端末で発揮させるとともに、当該指示、並びに、当該指示に基づき他の端末装置でも前記特定のゲーム効果を発揮させる情報を前記サーバ装置に送信し、
前記指示のタイミングが前記ゲームパートの進行において特定の条件を満たす場合、前記特定のゲーム効果を前記自端末でのみ発揮させるステップと
を実行させるプログラム。
【請求項２】
前記特定の条件は、前記指示のタイミングが、前記ゲームパートの進行において、前記指示により前記サーバ装置と他の端末装置との間の通信量が増加する処理が行われるタイミングであることを特徴とする請求項１に記載のプログラム。
【請求項３】
前記特定の条件は、前記指示のタイミングが、前記ゲームパートの進行において、前記他の端末装置において前記ゲームパートの共有ゲームデータを変更させる情報を含む指示が前記サーバ装置へ送信されたタイミングであることを特徴とする請求項１または２に記載のプログラム。
【請求項４】
前記特定のゲーム効果には有効期間が設定されることを特徴とする請求項１から３のいずれか一項に記載のプログラム。
【請求項５】
前記特定のゲーム効果を発揮させるステップは、前記特定のゲーム効果に伴う演出を前記自端末で表示させることを特徴とする請求項１から４のいずれか一項に記載のプログラム。
【請求項６】
サーバ装置と通信してゲームを実行する制御部を備える、端末装置であって、
前記制御部は、
ユーザの操作に基づき、ゲームパートを進行させ、
前記ユーザの操作による、特定のゲーム効果を発揮させる指示を受け付け、
前記指示のタイミングが前記ゲームパートの進行において特定の条件を満たさない場合、前記指示に基づき、前記特定のゲーム効果を自端末で発揮させるとともに、当該指示、並びに、当該指示に基づき他の端末装置でも前記特定のゲーム効果を発揮させる情報を前記サーバ装置に送信し、
前記指示のタイミングが前記ゲームパートの進行において特定の条件を満たす場合、前記特定のゲーム効果を前記自端末でのみ発揮させる、端末装置。
【請求項７】
サーバ装置と通信してゲームを実行する端末装置の制御方法であって、
ユーザの操作に基づき、ゲームパートを進行させるステップと、
前記ユーザの操作による、特定のゲーム効果を発揮させる指示を受け付けるステップと、
前記指示のタイミングが前記ゲームパートの進行において特定の条件を満たさない場合、前記指示に基づき、前記特定のゲーム効果を自端末で発揮させるとともに、当該指示、並びに、当該指示に基づき他の端末装置でも前記特定のゲーム効果を発揮させる情報を前記サーバ装置に送信し、
前記指示のタイミングが前記ゲームパートの進行において特定の条件を満たす場合、前記特定のゲーム効果を前記自端末でのみ発揮させるステップと
を含む、制御方法。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
外部機器と接続する接続手段と、
表示手段と、
前記表示手段に対象画像を表示する際に、所定の画面において、前記対象画像を第１階調分解能で表示するとともに、前記対象画像の輝度、階調、色味の少なくとも１つに関する情報表示アイテムを表示し、
前記対象画像を前記接続手段から出力する際に、前記対象画像の前記情報表示アイテムを出力することなく、前記対象画像を前記第１階調分解能よりも高い第２階調分解能で出力する
ように制御する制御手段と、
を有することを特徴とする電子機器。
【請求項２】
前記第１階調分解能を有する特定種別の画像を、階調分解能を前記第１階調分解能よりも高い第２階調分解能に変換するとともに階調特性を変換する処理を施した変換画像に変換する変換手段、をさらに有し、
前記対象画像が前記特定種別の画像である場合には、前記制御手段は、前記対象画像を前記接続手段から出力する際に、前記対象画像を前記変換手段で変換して出力するように制御する
ことを特徴とする請求項１に記載の電子機器。
【請求項３】
前記特定種別の画像はＪＰＥＧ画像である
ことを特徴とする請求項２に記載の電子機器。
【請求項４】
前記制御手段は、前記表示手段に対象画像を前記第１階調分解能で表示する際には画面が前記所定の画面に遷移するように制御し、前記対象画像を前記接続手段から前記第２階調分解能で出力する際には画面が前記所定の画面に遷移しないように制御する
ことを特徴とする請求項１〜３のいずれか１項に記載の電子機器。
【請求項５】
前記画面が前記所定の画面に遷移しないように制御されている場合に、前記制御手段は、前記所定の画面に遷移できない旨を示すアイテムを含む画面を前記接続手段から出力す
るように制御する
ことを特徴とする請求項４に記載の電子機器。
【請求項６】
特定の操作部材に対するユーザー操作がある度に、前記対象画像に関する情報の量が互いに異なる複数の画面の何れかに切り替える切替手段、をさらに有し、
前記所定の画面は、前記複数の画面に含まれる画面である
ことを特徴とする請求項１〜５のいずれか１項に記載の電子機器。
【請求項７】
前記第１階調分解能は８ｂｉｔの階調分解能である
ことを特徴とする請求項１〜６のいずれか１項に記載の電子機器。
【請求項８】
前記第２階調分解能は、１０ｂｉｔまたは１２ｂｉｔの階調分解能である
ことを特徴とする請求項１〜７のいずれか１項に記載の電子機器。
【請求項９】
前記外部機器との接続モードを、前記第１階調分解能以下の階調分解能を有する画像を出力する第１接続モードと、前記第１階調分解能よりも高い階調分解能を有する画像を出力する第２接続モードとを含む複数の接続モードの何れかに設定する設定手段、をさらに有し、
前記制御手段は、
前記第２接続モードでの接続がされている場合には、前記対象画像を前記接続手段から出力する際に、前記所定の画面において、前記対象画像を前記第１階調分解能で出力するとともに、前記対象画像の輝度ヒストグラムを出力し、
前記第１接続モードでの接続がされている場合には、前記対象画像を前記接続手段から出力する際に、前記対象画像の輝度ヒストグラムを出力することなく、前記対象画像を前記第２階調分解能で出力するように制御する
ことを特徴とする請求項１〜８のいずれか１項に記載の電子機器。
【請求項１０】
前記情報表示アイテムは輝度ヒストグラムである
ことを特徴とする請求項１〜９のいずれか１項に記載の電子機器。
【請求項１１】
前記情報表示アイテムは、露出補正、ホワイトバランス設定、ホワイトバランス設定を補正する設定、画像のシャープネスやコントラストを設定する設定項目の設定内容、画像のＲＧＢ値の分布を示すヒストグラム、画像の色空間の設定、のうち少なくとも１つを表すものである
ことを特徴とする請求項１〜９のいずれか１項に記載の電子機器。
【請求項１２】
外部機器と接続する接続手段と、
前記外部機器との接続モードを、第１階調分解能以下の階調分解能を有する画像を出力する第１接続モードと、前記第１階調分解能よりも高い階調分解能を有する画像を出力する第２接続モードとを含む複数の接続モードの何れかに設定する設定手段と、
前記第２接続モードでの接続がされている場合には、対象画像を前記接続手段から出力する際に、所定の画面において、前記対象画像を第１階調分解能で出力するとともに、前記対象画像の輝度ヒストグラムを出力し、
前記第１接続モードでの接続がされている場合には、前記対象画像を前記接続手段から出力する際に、前記対象画像の輝度ヒストグラムを出力することなく、前記対象画像を前記第１階調分解能よりも高い第２階調分解能で出力する
ように制御する制御手段と、
を有することを特徴とする電子機器。
【請求項１３】
表示手段を有する電子機器の制御方法であって、
外部機器と接続する接続ステップと、
前記表示手段に対象画像を表示する際に、所定の画面において、前記対象画像を第１階調分解能で表示するとともに、前記対象画像の輝度、階調、色味の少なくとも１つに関する情報表示アイテムを表示し、
前記対象画像を前記外部機器に出力する際に、前記対象画像の前記情報表示アイテムを出力することなく、前記対象画像を前記第１階調分解能よりも高い第２階調分解能で出力する
ように制御する制御ステップと、
を有することを特徴とする電子機器の制御方法。
【請求項１４】
外部機器と接続する接続ステップと、
前記外部機器との接続モードを、第１階調分解能以下の階調分解能を有する画像を出力する第１接続モードと、前記第１階調分解能よりも高い階調分解能を有する画像を出力する第２接続モードとを含む複数の接続モードの何れかに設定する設定ステップと、
前記第２接続モードでの接続がされている場合には、対象画像を前記外部機器に出力する際に、所定の画面において、前記対象画像を第１階調分解能で出力するとともに、前記対象画像の輝度ヒストグラムを出力し、
前記第１接続モードでの接続がされている場合には、前記対象画像を前記外部機器に出力する際に、前記対象画像の輝度ヒストグラムを出力することなく、前記対象画像を前記第１階調分解能よりも高い第２階調分解能で出力する
ように制御する制御ステップと、
を有することを特徴とする電子機器の制御方法。
【請求項１５】
コンピュータを、請求項１〜１２のいずれか１項に記載の電子機器の各手段として機能させるためのプログラム。
【請求項１６】
コンピュータを、請求項１〜１２のいずれか１項に記載の電子機器の各手段として機能させるためのプログラムを格納したコンピュータが読み取り可能な記録媒体。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
原稿を搬送路に沿って搬送する搬送部と、
前記搬送路に配置され、前記搬送部によって第１位置に搬送された原稿の画像を読み取り可能な読取部と、
前記第１位置とは異なる第２位置に設けられ、シェーディング補正用のデータを取得するための色基準部材と、
前記読取部による読取位置が、原稿読取時には前記第１位置となるように、シェーディング補正用のデータ取得時には前記第２位置となるように、前記読取部を移動させる移動機構と、
前記読取部に対して前記搬送路と反対側で、前記読取部の移動方向に交差する幅方向両端側、且つ、前記読取部の外形の最大寸法よりも内側にそれぞれ配置され、前記移動機構による前記読取部の移動をガイドするガイド部と、を備えた、
ことを特徴とする画像読取装置。
【請求項２】
前記ガイド部は、前記読取部の読取可能領域よりも前記幅方向外側に配置されている、
ことを特徴とする、請求項１に記載の画像読取装置。
【請求項３】
前記移動機構は、前記読取位置が前記第１位置となる位置と、前記第２位置となる位置の範囲内で前記読取部を移動させるように構成されている、
ことを特徴とする、請求項１又は２に記載の画像読取装置。
【請求項４】
前記読取部を移動可能に収容する収容部を有し、
前記収容部は、前記ガイド部と係合して、前記ガイド部と共に前記読取部の移動をガイドする係合部を有する、
ことを特徴とする、請求項１ないし３のうちの何れか１項に記載の画像読取装置。
【請求項５】
前記第１位置は、前記原稿をガイドするコンタクトガラス上の位置であり、
前記コンタクトガラスは、前記収容部に固定されている、
ことを特徴とする、請求項４に記載の画像読取装置。
【請求項６】
前記ガイド部と前記係合部のうちの一方は、前記幅方向に突出する突部であり、他方は、前記読取部の移動方向に沿って形成され、前記突部が係合可能な長穴である、
ことを特徴とする、請求項４又は５に記載の画像読取装置。
【請求項７】
前記移動機構は、前記ガイド部に対し前記幅方向の内側に配置される、
ことを特徴とする請求項１ないし６のうちの何れか１項に記載の画像読取装置。
【請求項８】
前記ガイド部は、前記読取部と別体である、
ことを特徴とする、請求項１ないし７のうちの何れか１項に記載の画像読取装置。
【請求項９】
前記ガイド部は、前記幅方向の両側のそれぞれに前記移動方向に沿って複数個ずつ配置されている、
ことを特徴とする、請求項１ないし８のうちの何れか１項に記載の画像読取装置。
【請求項１０】
前記色基準部材は、前記コンタクトガラスを挟んで前記読取部と反対側に配置されている、
ことを特徴とする、請求項５に記載の画像読取装置。
【請求項１１】
前記色基準部材の前記搬送部により原稿が搬送される側を覆う覆い部材を有する、
ことを特徴とする、請求項１０に記載の画像読取装置。
【手続補正２】
【補正対象書類名】明細書
【補正対象項目名】０００７
【補正方法】変更
【補正の内容】
【０００７】
本発明は、原稿を搬送路に沿って搬送する搬送部と、前記搬送路に配置され、前記搬送部によって第１位置に搬送された原稿の画像を読み取り可能な読取部と、前記第１位置とは異なる第２位置に設けられ、シェーディング補正用のデータを取得するための色基準部材と、前記読取部による読取位置が、原稿読取時には前記第１位置となるように、シェーディング補正用のデータ取得時には前記第２位置となるように、前記読取部を移動させる移動機構と、前記読取部に対して前記搬送路と反対側で、前記読取部の移動方向に交差する幅方向両端側、且つ、前記読取部の外形の最大寸法よりも内側にそれぞれ配置され、前記移動機構による前記読取部の移動をガイドするガイド部と、を備えたことを特徴とする画像読取装置にある。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
被検眼の瞳上において照明光が通過する投光領域と、被検眼の瞳上において前記照明光の眼底反射光が取り出される受光領域とを、互いに異なる位置に形成する、投受光分離手段、および、前記受光領域から取り出された前記眼底反射光を受光する受光素子、を備える撮影光学系と、
被検眼と前記撮影光学系との位置関係を調整する駆動部と、を備え、前記受光素子からの信号に基づいて眼底画像を取得する眼底撮影装置であって、
更に、
前記投受光分離手段は、被検眼の瞳上において互いに位置が異なる２つの投光領域を形成し、
被検眼と前記撮影光学系とのアライメントの基準となるアライメント基準位置として、前記２つの投光領域および前記受光領域の全部が被検眼の瞳孔領域内に形成されることを想定した第１基準位置と、第１基準位置とは異なる第２基準位置であって、前記受光領域と共に２つの前記投光領域のうち１つが、残り１つの前記投光領域よりも優先的に被検眼の瞳孔内に配置されることを想定した第２基準位置と、のいずれかを選択的に設定可能であり、設定した前記アライメント基準位置からのアライメントずれに基づいてアライメントを誘導する撮影制御手段、を備える眼底撮影装置。
【請求項２】
前記撮影制御手段は、前記第１基準位置へアライメントを誘導する場合は、眼底画像を撮影する際に、２つの前記投光領域のうち両方から前記照明光を眼底へ投光させ、前記第２基準位置へアライメントを誘導する場合は、眼底画像を撮影する際に、２つの前記投光領域のうち、優先的に瞳孔内に配置される一方のみから前記照明光を眼底へ投光させる、請求項１記載の眼底撮影装置。
【請求項３】
前記第２基準位置では、前記２つの前記投光領域のうち残り１つは、瞳孔外に配置される、請求項１又は２記載の眼底撮影装置。
【請求項４】
前眼部観察画像を取得する前眼部観察光学系を備え、
前記撮影制御手段は、前記前眼部観察画像から取得される被検眼の瞳孔領域に関する情報に基づいて前記アライメント基準位置を設定する請求項１〜３の何れかに記載の眼底撮影装置。
【請求項５】
前記撮影光学系は、
被検眼の眼底上で照明光をスリット状に形成するスリット形成部、
スリット状に形成された照明光を、スリットに対して直交する方向へ眼底上で走査する走査部、更に有し、
前記投受光分離手段は、被検眼の瞳上において前記投光領域を、前記走査部の走査方向に関して互いに分離した２つの位置に形成すると共に、被検眼の瞳上において前記受光領域を、２つの前記投光領域に挟まれるように形成する１〜４のいずれかに記載の眼底撮影装置。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態は、複数回の所定遊技により構成される状態であり、
前記有利状態は、少なくとも第１有利状態と、当該第１有利状態よりも不利な第２有利状態とを含み、
前記第１有利状態において、複数回の前記所定遊技の各々の開始時に前記第２有利状態では実行しない特別演出を実行可能であり、
前記特別演出は、特別画像の表示を含み、
前記特別画像が表示される領域は、当該特別画像が表示されない領域よりも広く、
前記第２有利状態において、複数回の前記所定遊技に亘って一連の演出を実行可能であり、
前記特別演出は、一の前記所定遊技が終了するよりも前に終了し、
前記第２有利状態において、複数回の前記所定遊技の各々の開始時に前記特別画像よりも小さいサイズで所定画像を表示可能であり、
前記一連の演出は、複数回の前記所定遊技のうち一の前記所定遊技が実行されているときと、該一の前記所定遊技が終了し次の前記所定遊技が実行されるまでの期間と、該次の前記所定遊技が実行されているときとに亘って、中断することなく実行され、
前記所定画像は、複数回の前記所定遊技のうち一の前記所定遊技が実行されているときに表示し、一の前記所定遊技が終了し次の前記所定遊技が実行されるまでの期間においては表示せず、
前記第１有利状態において、前記特別演出を実行した後に、当該特別演出が実行されたことを認識可能とする特殊演出を、当該特別演出の演出態様とは異なる演出態様により実行可能である、遊技機
【手続補正２】
【補正対象書類名】明細書
【補正対象項目名】０００６
【補正方法】変更
【補正の内容】
【０００６】
（１）上記目的を達成するため、本願発明に係る遊技機は、
遊技者にとって有利な有利状態（大当り遊技状態等）に制御可能な遊技機（パチンコ遊技機１等）であって、
前記有利状態は、複数回の所定遊技（特別可変入賞球装置７の開放等）により構成される状態であり、
前記有利状態は、少なくとも第１有利状態（１５Ｒ大当り等）と、当該第１有利状態よりも不利な第２有利状態（５Ｒ大当り等）とを含み、
前記第１有利状態において、複数回の前記所定遊技の各々の開始時に前記第２有利状態では実行しない特別演出（図９−１（Ａ），（Ｄ）の１５Ｒ大当りであることを強調表示する演出よりなる特別演出等）を実行可能であり（特徴部２２９Ｆ等）、
前記特別演出は、特別画像の表示を含み、
前記特別画像が表示される領域は、当該特別画像が表示されない領域よりも広く、
前記第２有利状態において、複数回の前記所定遊技に亘って一連の演出を実行可能であり、
前記特別演出は、一の前記所定遊技が終了するよりも前に終了し、
前記第２有利状態において、複数回の前記所定遊技の各々の開始時に前記特別画像よりも小さいサイズで所定画像を表示可能であり、
前記一連の演出は、複数回の前記所定遊技のうち一の前記所定遊技が実行されているときと、該一の前記所定遊技が終了し次の前記所定遊技が実行されるまでの期間と、該次の前記所定遊技が実行されているときとに亘って、中断することなく実行され、
前記所定画像は、複数回の前記所定遊技のうち一の前記所定遊技が実行されているときに表示し、一の前記所定遊技が終了し次の前記所定遊技が実行されるまでの期間においては表示せず、
前記第１有利状態において、前記特別演出を実行した後に、当該特別演出が実行されたことを認識可能とする特殊演出を、当該特別演出の演出態様とは異なる演出態様により実行可能である、遊技機
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
通常遊技状態よりも遊技者に有利な特別遊技状態にすることが可能な遊技実行手段と、
演出を実行可能な演出実行手段とを備えた遊技機であって、
前記演出実行手段は、
前記特別遊技状態になる可能性があることを示唆する第１の演出を実行可能であり、
前記第１の演出の前に、前記第１の演出が実行されることを示唆する示唆演出を実行可能であり、
前記第１の演出が実行されているときに、前記特別遊技状態になる可能性があることを示唆する第２の演出を実行可能であり、
前記第２の演出には、複数の種類が設けられ、
前記示唆演出において、前記複数の種類の前記第２の演出の何れかが実行されることを示唆する特定演出を実行可能であることを特徴とする遊技機。
【手続補正２】
【補正対象書類名】明細書
【補正対象項目名】０００６
【補正方法】変更
【補正の内容】
【０００６】
本発明に係る遊技機は、
通常遊技状態よりも遊技者に有利な特別遊技状態にすることが可能な遊技実行手段と、
演出を実行可能な演出実行手段とを備えた遊技機であって、
前記演出実行手段は、
前記特別遊技状態になる可能性があることを示唆する第１の演出を実行可能であり、
前記第１の演出の前に、前記第１の演出が実行されることを示唆する示唆演出を実行可能であり、
前記第１の演出が実行されているときに、前記特別遊技状態になる可能性があることを示唆する第２の演出を実行可能であり、
前記第２の演出には、複数の種類が設けられ、
前記示唆演出において、前記複数の種類の前記第２の演出の何れかが実行されることを示唆する特定演出を実行可能であることを特徴とする。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
被写体に照射された放射線を検出する画像検出装置により生成された撮影画像を表示する放射線画像表示装置であって、
前記撮影画像を１度ずつ回転する処理を行う回転処理部と、
前記撮影画像の表示倍率を縮小する処理を行う表示情報生成部と、
前記撮影画像を表示する表示部と、
を備え、
前記回転処理部により回転する処理が行われた前記撮影画像を前記表示部に表示する際に、前記表示情報生成部により表示倍率を縮小する処理が行われた前記撮影画像を前記表示部に表示する、
放射線画像表示装置。
【請求項２】
前記表示情報生成部は、前記撮影画像が前記表示部の表示画面内に収まるように、前記撮影画像の表示倍率を算出する、
請求項１に記載の放射線画像表示装置。
【請求項３】
前記撮影画像の回転角度を選択する操作部を備え、
前記回転処理部は、前記操作部が操作されるごとに、前記撮影画像を回転する処理を行う、
請求項１または２に記載の放射線画像表示装置。
【請求項４】
前記操作部は、異なる回転方向を選択する複数の操作ボタンを有する、
請求項３に記載の放射線画像表示装置。
【請求項５】
前記操作部は、異なる回転角度を選択する複数の操作ボタンを有する、
請求項３に記載の放射線画像表示装置。
【請求項６】
被写体に照射された放射線を検出する画像検出装置により生成された撮影画像を表示する画像表示方法であって、
前記撮影画像を１度ずつ回転処理し、
前記撮影画像の表示倍率を縮小処理し、
前記回転処理された前記撮影画像を表示部に表示する際に、前記表示倍率が縮小処理された前記撮影画像を前記表示部に表示する、
画像表示方法。
【請求項７】
被写体に照射された放射線を検出する画像検出装置により生成された撮影画像を表示する放射線画像表示装置の制御プログラムであって、
前記放射線画像表示装置のコンピュータに、
前記撮影画像を１度ずつ回転する処理と、
前記撮影画像の表示倍率を縮小する処理と、
前記回転する処理が行われた前記撮影画像を表示部に表示する際に、前記表示倍率を縮小する処理が行われた前記撮影画像を前記表示部に表示する処理とを、
実行させる制御プログラム。
【手続補正２】
【補正対象書類名】明細書
【補正対象項目名】発明の名称
【補正方法】変更
【補正の内容】
【発明の名称】放射線画像表示装置、画像表示方法および制御プログラム
【手続補正３】
【補正対象書類名】明細書
【補正対象項目名】０００８
【補正方法】変更
【補正の内容】
【０００８】
本発明に係る放射線画像表示装置は、
被写体に照射された放射線を検出する画像検出装置により生成された撮影画像を表示する放射線画像表示装置であって、
前記撮影画像を１度ずつ回転する処理を行う回転処理部と、
前記撮影画像の表示倍率を縮小する処理を行う表示情報生成部と、
前記撮影画像を表示する表示部と、
を備え、
前記回転処理部により回転する処理が行われた前記撮影画像を前記表示部に表示する際に、前記表示情報生成部により表示倍率を縮小する処理が行われた前記撮影画像を前記表示部に表示する。
【手続補正４】
【補正対象書類名】明細書
【補正対象項目名】０００９
【補正方法】変更
【補正の内容】
【０００９】
本発明に係る画像表示方法は、
被写体に照射された放射線を検出する画像検出装置により生成された撮影画像を表示する画像表示方法であって、
前記撮影画像を１度ずつ回転処理し、
前記撮影画像の表示倍率を縮小処理し、
前記回転処理された前記撮影画像を表示部に表示する際に、前記表示倍率が縮小処理された前記撮影画像を前記表示部に表示する。
本発明に係る制御プログラムは、
被写体に照射された放射線を検出する画像検出装置により生成された撮影画像を表示する放射線画像表示装置の制御プログラムであって、
前記放射線画像表示装置のコンピュータに、
前記撮影画像を１度ずつ回転する処理と、
前記撮影画像の表示倍率を縮小する処理と、
前記回転する処理が行われた前記撮影画像を表示部に表示する際に、前記表示倍率を縮小する処理が行われた前記撮影画像を前記表示部に表示する処理とを、
実行させる。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
記録媒体に記録されている有価価値情報の読み取り及び書き換えを行う管理ユニットと双方向で通信可能に構成され、内部に封入された遊技球を循環させて遊技に利用する封入式遊技機であって、  遊技の進行を制御する主制御装置と、  演出図柄表示装置を制御するサブ制御装置と、  前記循環を管理する枠制御装置と、を備え、  前記枠制御装置は、  遊技領域への遊技球の発射を制御する発射制御手段と、  前記主制御装置から受信する賞球数情報と前記遊技領域に発射した遊技球数とに基づいて、遊技に使用可能な持球数を更新する持球数更新手段と、  前記遊技に使用可能な持球数を遊技者に視認可能に表示する持球数表示装置と、  遊技機がエラー状態であるか否か判断するエラー判断手段と、を備え、  前記エラー判断手段が前記エラー状態と判断すると、前記発射制御手段にて遊技球の発射を停止し、前記持球数表示装置にてエラー報知を行い、 該エラー報知中の前記遊技領域に配設した入賞口への入賞は無効とすることを特徴とする封入式遊技機。
【請求項２】
請求項１に記載の封入式遊技機において、  遊技機枠と、  前記遊技機枠に組み付けられた遊技盤と、を備え、  前記遊技機枠には前記枠制御装置が配置され、  前記遊技盤には、前記主制御装置、前記サブ制御装置、及び前記演出図柄表示装置が配置され、  前記主制御装置は、前記遊技盤側の不正を検知する不正検知手段を備え、  前記不正検知手段が不正を検知すると、不正検知情報を前記枠制御装置へ送信するようになし、  前記枠制御装置は、前記不正検知情報を受信すると、前記エラー判断手段にて、前記遊技盤側の不正検知を前記エラー状態と判断するようになした封入式遊技機。
【請求項３】
請求項２に記載の遊技機において、  前記主制御装置は、前記不正検知手段が前記遊技盤側の不正を検知すると、前記演出図柄表示装置にて不正検知報知を行い、  前記枠制御装置は、前記エラー判断手段が前記エラー状態と判断した場合、当該エラー状態を示すエラーコードを前記持球数表示装置に表示することを特徴とする封入式遊技機。
【手続補正２】
【補正対象書類名】明細書
【補正対象項目名】０００７
【補正方法】変更
【補正の内容】
【０００７】  請求項１に記載の発明は、記録媒体に記録されている有価価値情報の読み取り及び書き換えを行う管理ユニットと双方向で通信可能に構成され、内部に封入された遊技球を循環させて遊技に利用する封入式遊技機であって、  遊技の進行を制御する主制御装置と、  演出図柄表示装置を制御するサブ制御装置と、  前記循環を管理する枠制御装置と、を備え、  前記枠制御装置は、  遊技領域への遊技球の発射を制御する発射制御手段と、  前記主制御装置から受信する賞球数情報と前記遊技領域に発射した遊技球数とに基づいて、遊技に使用可能な持球数を更新する持球数更新手段と、  前記遊技に使用可能な持球数を遊技者に視認可能に表示する持球数表示装置と、  遊技機がエラー状態であるか否か判断するエラー判断手段と、を備え、  前記エラー判断手段が前記エラー状態と判断すると、前記発射制御手段にて遊技球の発射を停止し、前記持球数表示装置にてエラー報知を行い、 該エラー報知中の前記遊技領域に配設した入賞口への入賞は無効とすることを特徴とする。
【手続補正３】
【補正対象書類名】明細書
【補正対象項目名】０００９
【補正方法】変更
【補正の内容】
【０００９】  この発明によれば、発生したエラー状態の内容にかかわらず、好適に、エラー状態の発生に対処することができる。例えば、枠制御装置は、エラー状態であると判断した場合、主制御装置へ信号を送らなくても、枠制御装置が遊技球の発射を停止するので、主制御装置が遊技を中断しなくても実質的に遊技を中断することができ、スムーズにエラー状態の解消作業を行うことができる。また、発射が停止しても、持球数表示装置の表示がエラー報知になっていることにより、エラー状態による遊技の中断であることを遊技者に示すことができる。更に、主制御装置側のエラーが発生したときは、主制御装置が遊技を中断してもよいし、主制御装置が枠制御装置へエラー情報を送信するようになし、これに応じて、枠制御装置が遊技球の発射を停止して遊技を中断するようにしてもよい。
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
装置本体と、
手首の周方向に倣って湾曲するとともに、一端と他端とが離間して形成され、前記装置本体に固定されるカーラと、
前記装置本体の外側面の対称位置に設けられ、前記カーラの外面を覆うベルトと、
前記カーラの内周面に設けられ、流体により膨張するカフ構造体と、
前記カーラに設けられた給電部と、
を備える、血圧測定装置。
【請求項２】
前記給電部は、前記カーラの外面又は内面に設けられる、請求項１に記載の血圧測定装置。
【請求項３】
前記カーラは、一端側の外面が前記装置本体に固定され、前記一端が前記装置本体から突出するとともに、前記一端及び前記他端が隣接し、
前記給電部は、前記カーラの前記装置本体から突出する前記一端側に設けられる、請求項２に記載の血圧測定装置。
【請求項４】
前記カーラは、前記装置本体から突出する前記一端の外面に窪みを有し、
前記給電部は、前記窪みに設けられた配線部、及び、前記窪みに設けられ、前記配線部に接続された給電端子を備える、請求項３に記載の血圧測定装置。
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
被検体に光を照射する光照射部、および、前記光の照射により前記被検体から発生する音響波を受信する音響波受信部を含む光音響プローブと、
前記音響波に基づいて前記被検体の特性情報を取得する特性情報取得部と、
前記特性情報の取得に関するオーダを医療システムから取得するオーダ取得部と、
前記被検体に関する被検体情報を医療システムから取得する被検体情報取得部と、
前記オーダおよび前記被検体情報に基づいて前記光音響プローブの制御条件を決定する制御条件決定部と、
を備えることを特徴とする光音響装置。
【請求項２】
前記制御条件決定部は、前記オーダに所定の光量で所定の回数の光照射を行うことを示す情報が含まれ、かつ、前記被検体情報に前記被検体が光過敏性を有することを示す情報が含まれている場合に、前記光音響プローブに前記所定の光量よりも小さい光量で、前記所定の回数よりも多くの回数の光照射を行わせるように前記制御条件を決定する
ことを特徴とする請求項１に記載の光音響装置。
【請求項３】
前記被検体情報は、前記特性情報の取得に影響を及ぼすような、前記被検体中の成分による前記光の吸収に関連する情報である
ことを特徴とする請求項１に記載の光音響装置。
【請求項４】
前記被検体情報は、前記被検体を構成する物質に関する情報、前記被検体に投与または塗布された物質に関連する情報、または、前記被検体の前記光に対する反応性を示す情報である
ことを特徴とする請求項３に記載の光音響装置。
【請求項５】
前記特性情報に基づく画像の表示部への表示を制御する表示制御部をさらに備え、
前記制御条件決定部は、前記オーダにより指定された測定対象の前記特性情報が前記画像において強調されるように、前記制御条件を決定する
ことを特徴とする請求項１ないし４のいずれか１項に記載の光音響装置。
【請求項６】
前記被検体情報取得部は、前記被検体の表面を光学的に撮影する装置、または、前記被検体情報を操作者に入力させる装置を用いて、前記被検体情報を取得する
ことを特徴とする請求項１ないし５のいずれか１項に記載の光音響装置。
【請求項７】
前記制御条件決定部は、前記制御条件を前記医療システムに保存する
ことを特徴とする請求項１から６のいずれか１項に記載の光音響装置。
【請求項８】
被検体に光が照射されて発生する光音響波に基づいて生成される前記被検体の特性情報の取得に関するオーダを医療システムから取得し、前記被検体に関する被検体情報を医療システムから取得し、前記オーダおよび前記被検体情報に基づいて、前記光音響波を取得するための光音響プローブの制御条件を決定する制御条件決定部を備える
ことを特徴とする情報処理装置。
【請求項９】
前記制御条件決定部は、前記オーダに所定の光量で所定の回数の光照射を行うことを示す情報が含まれ、かつ、前記被検体情報に前記被検体が光過敏性を有することを示す情報が含まれている場合に、前記光音響プローブに前記所定の光量よりも小さい光量で、前記所定の回数よりも多くの回数の光照射を行わせるように前記制御条件を決定する
ことを特徴とする請求項８に記載の情報処理装置。
【請求項１０】
前記医療システムは、前記特性情報の取得に関するオーダを記憶するオーダリングシステムを有する
ことを特徴とする請求項８または９に記載の情報処理装置。
【請求項１１】
前記医療システムは、前記被検体情報を記憶する電子カルテシステムを有する
ことを特徴とする請求項８から１０のいずれか１項に記載の情報処理装置。
【請求項１２】
前記制御条件決定部は、前記医療システムと通信を行って、前記特性情報の取得に関するオーダを取得する
ことを特徴とする請求項８から１１のいずれか１項に記載の情報処理装置。
【請求項１３】
前記制御条件決定部は、前記医療システムと通信を行って、前記被検体情報を取得することを特徴とする請求項８から１１のいずれか１項に記載の情報処理装置。
【請求項１４】
被検体に光が照射されて発生する光音響波に基づいて生成される前記被検体の特性情報の取得に関するオーダを医療システムから取得し、
前記被検体に関する被検体情報を医療システムから取得し、
前記オーダおよび前記被検体情報に基づいて、前記光音響波を取得するための光音響プローブの制御条件を決定する
ことを特徴とする情報処理方法。
【請求項１５】
前記制御条件を決定するステップでは、前記オーダに所定の光量で所定の回数の光照射を行うことを示す情報が含まれ、かつ、前記被検体情報に前記被検体が光過敏性を有することを示す情報が含まれている場合に、前記光音響プローブに前記所定の光量よりも小さい光量で、前記所定の回数よりも多くの回数の光照射を行わせるように前記制御条件を決定する
ことを特徴とする請求項１４に記載の情報処理方法。
【請求項１６】
前記医療システムは前記特性情報の取得に関するオーダを記憶するオーダリングシステムを有し、前記医療システムと通信を行うことで前記オーダを取得する
ことを特徴とする請求項１４または１５に記載の情報処理方法。
【請求項１７】
前記医療システムは、前記被検体情報を記憶する電子カルテシステムを有し、前記医療
システムと通信を行うことで前記被検体情報を取得する
ことを特徴とする請求項１４から１６のいずれか１項に記載の情報処理方法。
【請求項１８】
請求項１４から１７のいずれか１項に記載の情報処理方法をコンピュータに実行させるためのプログラム。
【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って実行される事前演出と、
前記特定の識別情報の変動表示の内容を示す演出であって、当該特定の識別情報の変動表示に伴って実行される特定演出と、を有し、
前記遊技演出として、前記特別遊技の実行可能性を示す第１特定予告演出と、前記特別遊技の実行可能性として前記第１特定予告演出よりも高い可能性を示す第２特定予告演出と、第２遊技演出と、を有し、
前記第２特定予告演出が実行された場合、その後の所定時期に必ず前記第２遊技演出が実行され、
前記第１特定予告演出が実行された場合、その後の所定時期に前記第２遊技演出が実行されるときと、前記第２遊技演出が実行されないときがあり、
所定の識別情報の変動表示に伴って前記第２特定予告演出が実行された場合において、当該所定の識別情報の変動表示中に前記第２遊技演出が実行されない場合、当該第２特定予告演出は、前記事前演出であり、
所定の識別情報の変動表示に伴って前記第２特定予告演出が実行された場合において、当該所定の識別情報の変動表示中に前記第２遊技演出が実行される場合、当該第２特定予告演出は、前記特定演出であり、
所定の識別情報の変動表示に伴って前記第１特定予告演出が実行された場合において、当該所定の識別情報の変動表示中に前記第２遊技演出が実行されない場合、当該第１特定予告演出は、前記特定演出として実行されるときと、前記事前演出として実行されるときとがある
ことを特徴とする遊技機。
【手続補正２】
【補正対象書類名】明細書
【補正対象項目名】０００７
【補正方法】変更
【補正の内容】
【０００７】
前述の課題を解決するための第１発明の遊技機は、
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って実行される事前演出と、
前記特定の識別情報の変動表示の内容を示す演出であって、当該特定の識別情報の変動表示に伴って実行される特定演出と、を有し、
前記遊技演出として、前記特別遊技の実行可能性を示す第１特定予告演出と、前記特別遊技の実行可能性として前記第１特定予告演出よりも高い可能性を示す第２特定予告演出と、第２遊技演出と、を有し、
前記第２特定予告演出が実行された場合、その後の所定時期に必ず前記第２遊技演出が実行され、
前記第１特定予告演出が実行された場合、その後の所定時期に前記第２遊技演出が実行されるときと、前記第２遊技演出が実行されないときがあり、
所定の識別情報の変動表示に伴って前記第２特定予告演出が実行された場合において、当該所定の識別情報の変動表示中に前記第２遊技演出が実行されない場合、当該第２特定予告演出は、前記事前演出であり、
所定の識別情報の変動表示に伴って前記第２特定予告演出が実行された場合において、当該所定の識別情報の変動表示中に前記第２遊技演出が実行される場合、当該第２特定予告演出は、前記特定演出であり、
所定の識別情報の変動表示に伴って前記第１特定予告演出が実行された場合において、当該所定の識別情報の変動表示中に前記第２遊技演出が実行されない場合、当該第１特定予告演出は、前記特定演出として実行されるときと、前記事前演出として実行されるときとがある
ことを特徴とするものである。
【手続補正３】
【補正対象書類名】明細書
【補正対象項目名】０００８
【補正方法】変更
【補正の内容】
【０００８】
このような遊技機によれば、識別情報の変動表示に伴って所定の遊技演出を実行可能な遊技演出実行手段を備え、遊技演出として第１特定予告演出と第２特定予告演出と第２遊技演出とを有している。また、特定の識別情報の変動表示の内容を示す演出であって、当該特定の識別情報の変動表示より前の識別情報の変動表示に伴って実行される事前演出と、特定の識別情報の変動表示の内容を示す演出であって、当該特定の識別情報の変動表示に伴って実行される特定演出と、を有している。